(57)【要約】  アンテナで受信し周波数変換した映像・音声信号を含むユーザーバンド信号をケーブル経由で受信する受信機において、ユーザーバンド信号を受信しベースバンド信号に周波数変換するチューナー部と、ベースバンド信号の出力レベルを検出し、その出力レベルを一定に保つとともに、ユーザーバンド信号の強度に対応するパワー値を出力する自動利得制御部と、パワー値の出力の変化に基づきアンテナ制御信号の衝突を検出する制御信号衝突検出部と、を備える受信機。
2011114607.tif 000002
【特許請求の範囲】
【請求項１】
アンテナと一本のケーブルで複数の受信機が接続され、前記アンテナで受信し周波数変換した映像・音声信号を含むユーザーバンド信号を前記ケーブル経由で受信する前記受信機であって、
前記ユーザーバンド信号を受信し、受信した前記ユーザーバンド信号をベースバンド信号に周波数変換するチューナー部と、
前記ベースバンド信号の出力レベルを検出し、前記検出したベースバンド信号の出力レベルに応じて前記チューナー部の利得を、前記ベースバンド信号の出力レベルが一定に保たれるように制御する信号を前記チューナー部にフィードバックするとともに、前記利得を制御する前記信号に基づいて前記チューナー部に入力される前記ユーザーバンド信号の強度に対応するパワー値を出力する自動利得制御部と、
前記パワー値の変化に基づき、アンテナ制御信号の衝突を検出して検出信号を出力する制御信号衝突検出部と、
を備える
受信機。
【請求項２】
前記制御信号衝突検出部は、
前記自動利得制御部の出力する前記パワー値を所定期間計測し、前記所定期間の計測を開始した際の前記パワー値と前記所定期間における前記パワー値の最大値との差、かつ、前記所定期間の計測を開始した際の前記パワー値と前記所定期間における前記パワー値の最小値との差が所定のパワー閾値以下である場合、前記アンテナ制御信号が衝突したと判定する
請求項１記載の受信機。
【請求項３】
アンテナと一本のケーブルで複数の受信機が接続され、前記アンテナで受信し周波数変換した映像・音声信号を含むユーザーバンド信号を前記ケーブル経由で受信する前記受信機におけるアンテナ制御信号の衝突検出方法であって、
前記ユーザーバンド信号を受信し、受信した前記ユーザーバンド信号をベースバンド信号に周波数変換するステップと、
前記ベースバンド信号の出力レベルを検出し、前記ベースバンド信号の前記出力レベルを一定に保つように制御する信号に基づいて、前記ユーザーバンド信号の強度に対応するパワー値を出力するステップと、
前記パワー値の変化に基づき、アンテナ制御信号の衝突を検出するステップと、
を備えるアンテナ制御信号の衝突検出方法。
【請求項４】
前記アンテナ制御信号の衝突を検出するステップは、
前記パワー値を所定期間計測し、前記所定期間の計測を開始した際の前記パワー値と前記所定期間における前記パワー値の最大値との差、かつ、前記所定期間の計測を開始した際の前記パワー値と前記所定期間における前記パワー値の最小値との差が所定のパワー閾値以下である場合、前記アンテナ制御信号が衝突したと判定する
請求項３記載のアンテナ制御信号の衝突検出方法。
【発明の詳細な説明】
【技術分野】
【０００１】
本発明は、アンテナと一本のケーブルで複数の受信機が接続され、アンテナで受信した信号を周波数変換したユーザーバンド信号をケーブル経由で受信する受信機におけるアンテナ制御信号の衝突検出技術に関するものである。
【背景技術】
【０００２】
衛星放送受信システムには、ＣＥＮＥＬＥＣ（Ｃｏｍｉｔｅ  Ｅｕｒｏｐｅｅｎ  ｄｅ  Ｎｏｒｍａｌｉｓａｔｉｏｎ  Ｅｌｅｃｔｒｏｔｅｃｈｎｉｑｕｅ／Ｅｕｒｏｐｅａｎ  Ｃｏｍｍｉｔｔｅｅ  ｆｏｒ  Ｅｌｅｃｔｒｏｔｅｃｎｉｃａｌ  Ｓｔａｎｄａｒｄｉｚａｔｉｏｎ）規格のＥＮ５０４９４における５節の“ＳＣＩＦ  Ｃｏｎｔｒｏｌ  ｓｉｇｎａｌｓ”に記載されているように、少なくとも一つの衛星アンテナ装置と複数の受信機を一本の同軸ケーブルで接続できるシステムがある（非特許文献１参照）。【０００３】
上記した衛星放送受信システムでは、受信機は、衛星アンテナ装置にアンテナ制御信号を送信する。そして、受信機は、衛星アンテナ装置に衛星及び衛星から送信される信号の偏波を選択させ、選択された衛星信号から選局したい信号をユーザーバンド信号に周波数変換させる。そして、受信機は、周波数変換されたユーザーバンド信号を受信機に搭載されたチューナーで受信する。上記したように、衛星放送受信システムでは、衛星アンテナ装置で設定できるユーザーバンド信号の数だけ、受信機を接続できる。それぞれの受信機は、自装置が使用するユーザーバンド信号を選択して、希望する衛星及び偏波によって送信された衛星信号を選局することができる。【０００４】
しかし、従来のような衛星放送受信システムでは、非特許文献１の８節“Ｔｒａｆｆｉｃ  ｃｏｌｌｉｓｉｏｎ  ｍａｎａｇｅｍｅｎｔ  ｒｕｌｅｓ”に記載のように、少なくとも一つの衛星アンテナ装置が一本の同軸ケーブルで複数の受信機に接続されている場合で、且つ１つの受信機と別の受信機が同時に衛星アンテナ装置にアンテナ制御信号を送信した場合、アンテナ制御信号の衝突が発生する。その結果、希望する衛星及び偏波によって送信された衛星信号をユーザーバンド信号に正しく周波数変換できない問題が発生する。【０００５】
この問題を解決するために、図８に示すように、複数の受信機から送信されるアンテナ制御信号を監視している。図８には、受信機Ｎと受信機Ｍのアンテナ制御信号の波形を概念的に示している。図に示すように受信機Ｎ、Ｍが、衛星アンテナ装置に正しくアンテナ制御信号を送信できたかどうかを、アンテナ制御信号送信からある一定時間後のトランスポートストリームが変化したかどうかを確認することで、アンテナ制御信号の衝突の有無を判断している。【０００６】
アンテナ制御信号の衝突があった場合には、一定の時間が経過したのちに、再度、アンテナ制御信号の衝突がないことを確認するため、さらにアンテナ制御信号の衝突有無を検出するために時間が必要である。【０００７】
また、アンテナ制御信号の衝突がない場合でも、受信機Ｎ、Ｍが衛星アンテナ装置にアンテナ制御信号を送信してからトランスポートストリームの変化を確認するまでには伝送路の状態が悪い場合には最大約１秒の時間を要する場合もある。したがって、アンテナ制御信号の衝突有無の判断には１秒以上の時間が必要となる。すなわち、従来の衛星放送受信システムでは、チャンネル選局に時間がかかるという課題がある。
【先行技術文献】
【非特許文献】
【０００８】
【非特許文献１】ＣＥＮＥＬＥＣ規格：ＥＮ５０４９４“Ｓａｔｅｌｌｉｔｅ  Ｓｉｇｎａｌ  Ｄｉｓｔｒｉｂｕｔｉｏｎ  ｏｖｅｒ  ａ  ｓｉｎｇｌｅ  ｃｏａｘｉａｌ  ｃａｂｌｅ  ｉｎ  ｓｉｎｇｌｅ  ｄｗｅｌｌｉｎｇ  ｉｎｓｔａｌｌａｔｉｏｎｓ”における“Ｃｌａｕｓｅ  ５  ＳＣＩＦ  Ｃｏｎｔｒｏｌ  ｓｉｇｎａｌｓ”、及び“Ｃｌａｕｓｅ  ８  Ｔｒａｆｆｉｃ  ｃｏｌｌｉｓｉｏｎ  ｍａｎａｇｅｍｅｎｔ  ｒｕｌｅｓ”
【発明の概要】
【０００９】
本発明の受信機は、アンテナと一本のケーブルで複数の受信機が接続され、アンテナで受信し周波数変換した映像・音声信号を含むユーザーバンド信号をケーブル経由で受信する受信機であって、チューナー部と、自動利得制御部と、制御信号衝突検出部と、を備える。
【００１０】
チューナー部は、ユーザーバンド信号を受信し、受信したユーザーバンド信号をベースバンド信号に周波数変換する。自動利得制御部は、ベースバンド信号の出力レベルを検出し、検出したベースバンド信号の出力レベルに応じてチューナー部の利得を、ベースバンド信号の出力レベルが一定に保たれるように制御する信号をチューナー部にフィードバックするとともに、利得を制御する信号に基づいてチューナー部に入力されるユーザーバンド信号の強度に対応するパワー値を出力する。制御信号衝突検出部は、パワー値の変化に基づき、アンテナ制御信号の衝突を検出して検出信号を出力する。
【００１１】
また、本発明のアンテナ制御信号の衝突検出方法は、アンテナと一本のケーブルで複数の受信機が接続され、アンテナで受信し周波数変換した映像・音声信号を含むユーザーバンド信号をケーブル経由で受信する受信機におけるアンテナ制御信号の衝突検出方法であって、周波数変換するステップと、パワー値を出力するステップと、衝突を検出するステップと、を備える。
【００１２】
周波数変換するステップは、ユーザーバンド信号を受信し、受信したユーザーバンド信号をベースバンド信号に周波数変換する。パワー値を出力するステップは、ベースバンド信号の出力レベルを検出し、ベースバンド信号の出力レベルを一定に保つように制御する信号に基づいて、ユーザーバンド信号の強度に対応するパワー値を出力する。衝突を検出するステップは、パワー値の変化に基づき、アンテナ制御信号の衝突を検出する。
【００１３】
本発明の受信機およびそのアンテナ制御信号の衝突検出方法によれば、受信したユーザーバンド信号を周波数変換したベースバンド信号の出力レベルを検出し、その出力レベルを一定に保つとともに、ユーザーバンド信号の強度に対応するパワー値を出力する。そして、パワー値の変化に基づきアンテナで受信する映像信号を選局するためのアンテナ制御信号の衝突を検出する。したがって、複数の受信機が同時に選局を行いアンテナ制御信号が衝突した場合にアンテナ制御信号の衝突検出を短時間で行うことができるため、アンテナ制御信号が衝突した場合に要する選局時間を短くすることができる。
【図面の簡単な説明】
【００１４】
【図１】図１は、本発明の実施の形態１に係わる衛星放送受信システムの構成を示すブロック図である。
【図２Ａ】図２Ａは、本発明の実施の形態１に係わる受信機の制御信号発生部の構成を示すブロック図である。
【図２Ｂ】図２Ｂは、本発明の実施の形態１に係わる受信機から出力される電圧、送信される制御コマンドを示す図である。
【図２Ｃ】図２Ｃは、本発明の実施の形態１に係わる受信機の制御信号衝突検出部の構成を示すブロック図である。
【図３】図３は、本発明の実施の形態１に係わる受信機における電源投入時でアンテナ制御信号に衝突がない場合のパワー値の時間変化を示す図である。
【図４】図４は、本発明の実施の形態１に係わる受信機における電源投入時でアンテナ制御信号に衝突がある場合のパワー値の時間変化を示す図である。
【図５】図５は、本発明の実施の形態１に係わる受信機におけるチャンネル切換時でアンテナ制御信号に衝突がない場合のパワー値の時間変化を示す図である。
【図６】図６は、本発明の実施の形態１に係わる受信機におけるチャンネル切換時でアンテナ制御信号に衝突がある場合のパワー値の時間変化を示す図である。
【図７Ａ】図７Ａは、本発明の実施の形態１に係る受信方法における処理を示すフローチャートである。
【図７Ｂ】図７Ｂは、本発明の実施の形態１に係る受信方法における衝突を検出するステップを詳細に説明するためのフローチャートである。
【図８】図８は、従来の受信機から出力されるアンテナ制御信号の波形を示した概念図である。
【発明を実施するための形態】
【００１５】
（実施の形態１）
以下、本発明を実施するための形態について、図面を参照しながら説明する。図１は、本発明の実施の形態１に係わる衛星放送受信システム８００の構成を示すブロック図である。衛星放送受信システム８００は、衛星アンテナ装置８０７、受信機８１３、受信機８１４および受信機８１９から構成される。
【００１６】
また、衛星アンテナ装置８０７は、アンテナ８０３、アンテナ８０４、ＬＮＢ（Ｌｏｗ  Ｎｏｉｓｅ  Ｂｌｏｃｋ  Ｃｏｎｖｅｒｔｅｒ）８０５、ＬＮＢ８０６、ユーザーバンド変換部８１２から構成される。なお、本実施の形態において衛星アンテナ装置８０７は、アンテナとＬＮＢの組を２つ備えるがこれに限定されず、１つ又は３つ以上であっても良い。すなわち、本実施の形態における衛星放送受信システム８００は、アンテナ８０３、８０４と一本のケーブルで複数の受信機８１３、８１４、８１９が接続され、アンテナ８０３、８０４で受信し周波数変換した映像・音声信号を含むユーザーバンド信号をケーブル経由で受信する。なお、本実施の形態では、ユーザーバンド信号を分配するための分配器を、図面を簡便にするため省略している。
【００１７】
また、受信機８１９は、チューナー８１５、ＡＤ変換部８１６、自動利得制御部８１７、復調部８１８、誤り訂正部８２０、ＬＰＦ（Ｌｏｗ  Ｐａｓｓ  Ｆｉｌｔｅｒ）８２３、制御信号衝突検出部８２５、制御信号発生部８２８、制御部としてのＣＰＵ（Ｃｅｎｔｒａｌ  Ｐｒｏｃｅｓｓｉｎｇ  Ｕｎｉｔ）８２９、リモコン受光部８３２、ＴＳ多重分離部８３３、ＭＰＥＧデコーダ８３４、ＤＡ（Ｄｉｇｉｔａｌ  Ａｎａｌｏｇ）変換部８３５から構成される。なお、チューナー部８１５ａは、チューナー８１５、ＡＤ変換部８１６、ＬＰＦ８２３を含む。受信機８１３、受信機８１４は、受信機８１９と同じ構成である。図１では、簡略化のため、受信機８１３、受信機８１４は、チューナー８１５ｂ、チューナー８１５ｃ、制御信号発生部８２８ｂ、制御信号発生部８２８ｃのみを図示している。また、本実施の形態における衛星放送受信システム８００は、受信機を３つ備える構成としたが、これに限定されず、１つ、２つ又は４つ以上であっても良い。
【００１８】
初めに、衛星信号の受信から映像・音声信号８３６が出力されるまでの動作について図１を用いて説明する。
【００１９】
まず、衛星アンテナ装置８０７の動作を説明する。衛星アンテナ装置８０７において、アンテナ８０３は衛星信号８０１、アンテナ８０４は衛星信号８０２を受信する。
【００２０】
ＬＮＢ８０５は、アンテナ８０３で受信した１２ＧＨｚ帯域の信号を１ＧＨｚ帯域の水平偏波信号８０８と垂直偏波信号８０９に周波数変換し、ＬＮＢ８０６は、アンテナ８０４で受信した１２ＧＨｚ帯域の信号を１ＧＨｚ帯域の水平偏波信号８１０と垂直偏波信号８１１に周波数変換する。
【００２１】
ユーザーバンド変換部８１２は、受信機８１３、受信機８１４および受信機８１９からのアンテナ制御信号に基づき、周波数変換された水平偏波信号８０８、水平偏波信号８１０、垂直偏波信号８０９、垂直偏波信号８１１の信号の中から選局指定された信号をユーザーバンド信号８３７に周波数変換する。ユーザーバンド信号は複数あり、本実施の形態のように３台の受信機８１３、受信機８１４、受信機８１９が接続されている場合には、受信機８１３、受信機８１４、受信機８１９のそれぞれが使用するユーザーバンド信号が必要なため、ユーザーバンド変換部８１２から、通常３つのユーザーバンド信号が出力される。
【００２２】
次に、衛星アンテナ装置８０７で周波数変換されたユーザーバンド信号８３７を受信機８１９で受信し、受信機８１９から映像・音声信号８３６が出力されるまでの動作を説明する。
【００２３】
ユーザーバンド信号８３７は、チューナー８１５により受信され、一定のレベルに利得制御された上で、実軸信号と虚軸信号のベースバンド信号に周波数変換される。そして、ベースバンド信号は、ＡＤ変換部８１６でデジタル信号に変換後、復調部８１８に入力されデジタル復調される。その後、デジタル復調された信号は、誤り訂正部８２０で誤り訂正され、ＴＳ（Ｔｒａｎｓｐｏｒｔ  Ｓｔｒｅａｍ）信号８３８として、ＴＳ多重分離部８３３に出力される。ＴＳ信号８３８は、ＴＳ多重分離部８３３により映像・音声信号などが分離され、ＭＰＥＧデコーダ８３４で復号される。そして、復号されたデジタル信号は、ＤＡ変換部８３５でアナログ信号に変換された後、映像・音声信号８３６として出力される。
【００２４】
一方、自動利得制御部８１７は、デジタル化されたベースバンド信号からそのベースバンド信号の出力レベルを検出する。また、検出した出力レベルを元にＰＷＭ（Ｐｕｌｓｅ  Ｗｉｄｔｈ  Ｍｏｄｕｌａｔｉｏｎ）信号８２４を生成する。生成されたＰＷＭ信号８２４は、ＬＰＦ８２３を通して自動利得制御電圧８２１となる。自動利得制御部８１７は、チューナー８１５の利得を、自動利得制御電圧８２１で制御し、ベースバンド信号の出力レベルを一定に保つように動作する。また、自動利得制御部８１７は、チューナー８１５の利得を制御する信号に基づいて、チューナー８１５に入力される信号の強度に対応するパワー値８２２を制御信号衝突検出部８２５に出力する。
【００２５】
次に、アンテナ制御信号８２６ａの衝突有無の検出方法について図１から図６を用いて説明する。
【００２６】
先にも述べたように、衛星アンテナ装置８０７のユーザーバンド変換部８１２は、受信機８１９からアンテナ制御信号８２６ａを受信し、水平偏波信号８０８、水平偏波信号８１０、垂直偏波信号８０９、垂直偏波信号８１１から選局指定された信号を所定のユーザーバンド信号に周波数変換する。
【００２７】
ここで、例えば、受信機８１９がアンテナ制御信号８２６ａを送信すると同時に、受信機８１３がアンテナ制御信号８２６ｂを送信すると、アンテナ制御信号８２６ａとアンテナ制御信号８２６ｂとの衝突が発生する。その結果、ユーザーバンド変換部８１２は、アンテナ制御信号８２６ａとアンテナ制御信号８２６ｂとをそれぞれ正しく受け取ることができない。したがって、受信機８１３と受信機８１９は、水平偏波信号８０８、水平偏波信号８１０、垂直偏波信号８０９、垂直偏波信号８１１から選局指定された信号を、所定のユーザーバンド信号８３７に周波数変換して、受け取ることができなくなる。そのため受信機８１３、受信機８１４、受信機８１９にはアンテナ制御信号８２６ａの衝突を検出する制御信号衝突検出部８２５を配置している。
【００２８】
まず、受信機８１９の電源投入時におけるアンテナ制御信号８２６ａの衝突有無の検出方法について、図１から図４を用いて説明する。
【００２９】
受信機８１９の電源が投入されると、ＣＰＵ８２９は、自身に記憶しているチャンネルの選局動作を開始する。
【００３０】
図２Ａは、本発明の実施の形態１に係わる受信機８１９の制御信号発生部８２８の構成を示すブロック図である。制御信号発生部８２８は、電圧出力部３１７、コマンド送信部３１８から構成される。また、チューナー８１５、制御部としてのＣＰＵ８２９は、それぞれ図に示すように、制御信号発生部８２８に接続されている。
【００３１】
電圧出力部３１７は、ＣＰＵ８２９の制御により、制御コマンドを出力するための電圧を、ユーザーバンド変換部８１２へ出力する。
【００３２】
コマンド送信部３１８は、ＣＰＵ８２９の制御により、制御コマンドをユーザーバンド変換部８１２へ送信する。
【００３３】
ＣＰＵ８２９は、電圧出力部３１７に電圧を出力させ、且つコマンド送信部３１８に制御コマンドを送信させる。
【００３４】
図２Ｂは、本発明の実施の形態１に係わる受信機８１９から出力される電圧、送信される制御コマンドを示す図である。図２Ｂに示すように、ＣＰＵ８２９は、電圧出力部３１７から出力電圧Ｘｖを、アンテナの電源用として常に出力させている。そして、コマンド送信部３１８から制御コマンドを出力させる場合、ＣＰＵ８２９は、電圧出力部３１７から出力電圧Ｙｖを出力させる。
【００３５】
図２Ｃは、本発明の実施の形態１に係わる受信機８１９の制御信号衝突検出部８２５の構成を示すブロック図である。制御信号衝突検出部８２５は、保持部８３９、トリガー信号発生部８４１、最小値／最大値検出部８４２、時間カウンター８４５から構成される。
【００３６】
図３は、本発明の実施の形態１に係わる受信機８１９における電源投入時でアンテナ制御信号８２６ａに衝突がない場合のパワー値８２２の時間変化を示す図である。図３に示すように、電源投入時は自動利得制御部８１７に入力される信号が無いため、制御信号衝突検出部８２５に入力されるパワー値８２２は、最小値（この場合、ｚ＝０）となる。
【００３７】
制御信号発生部８２８は、ＣＰＵ８２９から指示を受け、ＣＰＵ８２９が記憶しているチャンネルを選局するためのアンテナ制御信号８２６ａをユーザーバンド変換部８１２に送信し、次にチューナー制御信号８２７をチューナー８１５に送信する。
【００３８】
その後、図３に示すように、制御信号衝突検出部８２５の保持部８３９は、ＣＰＵ８２９からの選局指示により、制御信号発生部８２８がアンテナ制御信号８２６ａをユーザーバンド変換部８１２に送信するのと同じタイミングで、パワー値８２２の保持を開始する。そして、保持部８３９は、パワー保持値（この場合、ｘ＝０）８４０をトリガー信号発生部８４１に出力する。
【００３９】
制御信号発生部８２８がアンテナ制御信号８２６ａをユーザーバンド変換部８１２に送信し、チューナー制御信号８２７をチューナー８１５に送信すると、アンテナ制御信号８２６ａと受信機８１３のアンテナ制御信号８２６ｂ、及び受信機８１４のアンテナ制御信号８２６ｃとの衝突がない場合、自動利得制御部８１７にデジタル化されたベースバンド信号が正常に入力される。そして、図３に示すように、パワー値８２２が変化し、この場合では、一定時間後パワー値８２２がある一定のパワー最大値（ｙ）に収束する。
【００４０】
制御信号衝突検出部８２５の時間カウンター８４５は、パワー値８２２の保持部８３９への保持を開始したタイミングから所定期間としての最小値／最大値検出期間Ｔのカウントを開始する。そして、最小値／最大値検出部８４２は、最小値／最大値検出期間Ｔの間のパワー値８２２のパワー最大値（ｙ）とパワー最小値（ｚ）を検出し、パワー最大値（ｙ）とパワー最小値（ｚ）を検出信号８４３としてトリガー信号発生部８４１に出力する。トリガー信号発生部８４１は、パワー最大値（ｙ）とパワー保持値（ｘ）８４０とを比較し、比較結果（トリガー信号８３０）をＣＰＵ８２９に検出信号として送信する。
【００４１】
ＣＰＵ８２９は、トリガー信号８３０に基づき、｜ｙ−ｘ｜＞Ａ（ここで、Ａは所定のパワー閾値）の場合、受信機８１９のアンテナ制御信号８２６ａと受信機８１３のアンテナ制御信号８２６ｂ、及び受信機８１４のアンテナ制御信号８２６ｃとの衝突がないと判断する。
【００４２】
次に、受信機８１９のアンテナ制御信号８２６ａと受信機８１３のアンテナ制御信号８２６ｂ、または受信機８１４のアンテナ制御信号８２６ｃとの衝突がある場合について説明する。図４は、本発明の実施の形態１に係わる受信機８１９における電源投入時でアンテナ制御信号８２６ａに衝突がある場合のパワー値８２２の時間変化を示す図である。受信機８１９のアンテナ制御信号８２６ａと受信機８１３のアンテナ制御信号８２６ｂ、または受信機８１４のアンテナ制御信号８２６ｃとの衝突がある場合、制御信号発生部８２８がアンテナ制御信号８２６ａをユーザーバンド変換部８１２に送信し、チューナー制御信号８２７をチューナー８１５に送信しても、受信機８１９のアンテナ制御信号８２６ａと受信機８１３のアンテナ制御信号８２６ｂ、または受信機８１４のアンテナ制御信号８２６ｃとが衝突することで、自動利得制御部８１７に入力される信号が無い状態が続く。したがって、図４に示す通り、パワー値８２２は、パワー最小値（ｚ）のまま変化しない。したがって、この場合、パワー最小値（ｚ）とパワー最大値（ｙ）とは等しい。
【００４３】
制御信号衝突検出部８２５の保持部８３９は、パワー値８２２の保持を開始したタイミングから時間カウンター８４５で最小値／最大値検出期間Ｔのカウントを開始する。そして、最小値／最大値検出部８４２は、最小値／最大値検出期間Ｔの間のパワー値８２２のパワー最大値（ｙ）とパワー最小値（ｚ）を検出し、パワー最大値（ｙ）とパワー最小値（ｚ）を検出信号８４３としてトリガー信号発生部８４１に出力する。トリガー信号発生部８４１でパワー最大値（ｙ）とパワー保持値（ｘ）８４０とを比較し、比較結果（トリガー信号８３０）をＣＰＵ８２９に検出信号として送信する。
【００４４】
ＣＰＵ８２９は、トリガー信号８３０に基づき、｜ｙ−ｘ｜≦Ａ（ここで、Ａは閾値）の場合、受信機８１９のアンテナ制御信号８２６ａと受信機８１３のアンテナ制御信号８２６ｂ、または受信機８１４のアンテナ制御信号８２６ｃとの衝突があると判断する。この場合、ＣＰＵ８２９は、検出信号に基づいて、所定時間後に制御コマンドを再送信する。
【００４５】
上記したように、制御信号衝突検出部８２５は、パワー値８２２の変化に基づき、アンテナ制御信号８２６aの衝突を検出して検出信号を出力する。そして、制御部は、検出信号に基づいて、アンテナ制御信号８２６ａの衝突を検出した場合、所定時間後に制御コマンドを再送信する。
【００４６】
次に、受信機８１９のチャンネル切換時におけるアンテナ制御信号８２６ａの衝突有無の検出方法について、図１、図２、図５および図６を用いて説明する。
【００４７】
ユーザが、例えばリモコン（図示せず）でチャンネルを切換えると、リモコン受光部８３２はチャンネル切換の信号を受信し、受信したチャンネル切換の信号をＣＰＵ８２９に送信する。
【００４８】
ＣＰＵ８２９は、チャンネル切換の信号を受信すると、制御信号発生部８２８に対してアンテナ制御信号８２６ａをユーザーバンド変換部８１２に送信するように選局指示をする。
【００４９】
制御信号発生部８２８は、ＣＰＵ８２９から選局指示を受け、ユーザの操作に基づき切換えられるチャンネルが選局できるようにするためのアンテナ制御信号８２６ａを、ユーザーバンド変換部８１２に送信する。しかし、チャンネル切換時には制御信号発生部８２８は、チューナー制御信号８２７をチューナー８１５に送信しない。
【００５０】
その後、制御信号衝突検出部８２５の保持部８３９は、ＣＰＵ８２９からの選局指示により、制御信号発生部８２８がアンテナ制御信号８２６ａをユーザーバンド変換部８１２に送信するのと同じタイミングで、パワー値８２２の保持を開始する。そして、保持部８３９は、パワー保持値（ｘ）８４０をトリガー信号発生部８４１に出力する。
【００５１】
図５は、本発明の実施の形態１に係わる受信機８１９におけるチャンネル切換時でアンテナ制御信号８２６ａに衝突がない場合のパワー値８２２の時間変化を示す図である。制御信号発生部８２８がアンテナ制御信号８２６ａをユーザーバンド変換部８１２に送信すると、受信機８１９のアンテナ制御信号８２６ａと受信機８１３のアンテナ制御信号８２６ｂ、及び受信機８１４のアンテナ制御信号８２６ｃとの衝突がない場合、例えば、図５に示す通り、自動利得制御器１７に入力されるデジタル化されたベースバンド信号が一瞬途切れ、パワー値８２２はパワー最小値（ｚ）となる。その直後すぐにベースバンド信号が入力されることによりパワー値８２２が変化し、一定時間後にパワー値８２２がある一定のパワー最大値（ｙ）に収束する。
【００５２】
制御信号衝突検出部８２５の時間カウンター８４５は、パワー値８２２の保持部８３９への保持を開始したタイミングから最小値／最大値検出期間Ｔのカウントを開始する。そして、最小値／最大値検出部８４２は、最小値／最大値検出期間Ｔの間のパワー値８２２のパワー最大値（ｙ）とパワー最小値（ｚ）を検出し、パワー最大値（ｙ）とパワー最小値（ｚ）を検出信号８４３としてトリガー信号発生部８４１に出力する。トリガー信号発生部８４１でパワー保持値（ｘ）８４０とパワー最大値（ｙ）とパワー最小値（ｚ）を比較し、比較結果（トリガー信号８３０）をＣＰＵ８２９に送信する。
【００５３】
ＣＰＵ８２９は、トリガー信号８３０に基づき、｜ｙ−ｘ｜＞Ａまたは｜ｚ−ｘ｜＞Ａ（ここで、Ａは所定のパワー閾値）の場合、受信機８１９のアンテナ制御信号８２６ａと受信機８１３のアンテナ制御信号８２６ｂ、及び受信機８１４のアンテナ制御信号８２６ｃの衝突がないと判断する。
【００５４】
次に、受信機８１９のアンテナ制御信号８２６ａと受信機８１３のアンテナ制御信号８２６ｂ、または受信機８１４のアンテナ制御信号８２６ｃとの衝突がある場合について説明する。図６は、本発明の実施の形態１に係わる受信機８１９におけるチャンネル切換時でアンテナ制御信号８２６ａに衝突がある場合のパワー値８２２の時間変化を示す図である。受信機８１９のアンテナ制御信号８２６ａと受信機８１３のアンテナ制御信号８２６ｂ、または受信機８１４のアンテナ制御信号８２６ｃとの衝突がある場合、制御信号発生部８２８がアンテナ制御信号８２６ａをユーザーバンド変換部８１２に送信しても、アンテナ制御信号８２６ａと受信機８１３のアンテナ制御信号８２６ｂ、または受信機８１４のアンテナ制御信号８２６ｃとが衝突するため、自動利得制御部８１７に入力される信号が変化せず、図６に示す通り、パワー値８２２も変化しない。したがって、この場合、パワー最小値（ｚ）とパワー最大値（ｙ）とは等しい。
【００５５】
制御信号衝突検出部８２５の保持部８３９は、パワー値８２２の保持を開始したタイミングから時間カウンター８４５で最小値／最大値検出期間Ｔのカウントを開始する。そして、最小値／最大値検出部８４２は、最小値／最大値検出期間Ｔの間のパワー値８２２のパワー最大値（ｙ）とパワー最小値（ｚ）を検出し、パワー最大値（ｙ）とパワー最小値（ｚ）を検出信号８４３としてトリガー信号発生部８４１に出力する。トリガー信号発生部８４１は、パワー最大値（ｙ）とパワー最小値（ｚ）を比較し、比較結果（トリガー信号８３０）をＣＰＵ８２９に送信する。
【００５６】
ＣＰＵ８２９は、トリガー信号８３０に基づき、｜ｙ−ｘ｜≦Ａかつ｜ｚ−ｘ｜≦Ａ（ここで、Ａは所定の電圧閾値）の場合、受信機８１９のアンテナ制御信号８２６ａと受信機８１３のアンテナ制御信号８２６ｂ、または受信機８１４のアンテナ制御信号８２６ｃとの衝突があると判断する。すなわち、制御信号衝突検出部８２５は、自動利得制御部８１７の出力するパワー値８２２を所定期間計測し、所定期間の計測を開始した際のパワー値（パワー保持値（ｘ）８４０）と所定期間におけるパワー値の最大値（パワー最大値（ｙ））との差、かつ、所定期間の計測を開始した際のパワー値（パワー保持値（ｘ）８４０）と所定期間におけるパワー値の最小値（パワー最大値（ｙ））との差が所定のパワー閾値以下である場合、アンテナ制御信号が衝突したと判定する。
【００５７】
ここで、受信機８１９のアンテナ制御信号８２６ａと受信機８１３のアンテナ制御信号８２６ｂ、及び受信機８１４のアンテナ制御信号８２６ｃとの衝突がない場合、制御信号発生部８２８からアンテナ制御信号８２６ａをユーザーバンド変換部８１２に送信してから、パワー値８２２が変化し、収束するまでの時間は最大２００ｍｓｅｃである。したがって、上記した動作により、アンテナ制御信号８２６ａの衝突検出に要する時間は、従来のアンテナ制御信号衝突検出期間１０００ｍｓｅｃに比べ、大幅に短縮することができる。その結果、受信機８１９のアンテナ制御信号８２６ａが受信機８１３のアンテナ制御信号８２６ｂ、または受信機８１４のアンテナ制御信号８２６ｃと衝突し、ＣＰＵ８２９の指示により制御信号発生部８２８が再度アンテナ制御信号８２６ａを送信しても映像、音声が出力されるまでの時間を短くすることができる。
【００５８】
なお、本実施の形態においては、衛星アンテナ装置８０７が衛星信号を受信する場合を例に説明したが、これに限定されず、本実施の形態に記載の発明は、地上波放送信号その他を受信する場合にも適用することが可能である。
【００５９】
次に、本実施の形態における受信方法について説明する。本実施の形態に係わる衛星受信放送システム８００は、図１に示したように、衛星アンテナ装置８０７、受信機８１３、受信機８１４および受信機８１９から構成される。そして、本実施の形態における受信方法は、図７Ａ、７Ｂに示すようなステップを有する。図７Ａは、本発明の実施の形態１に係るアンテナ制御信号の衝突検出方法における処理を示すフローチャートである。図７Ａに示すように、周波数変換するステップでは、チューナー８１５が、ユーザーバンド信号を受信し、受信したユーザーバンド信号をベースバンド信号に周波数変換する（ステップＳ２１０）。
【００６０】
パワー値を出力するステップでは、自動利得制御部８１７が、ベースバンド信号の出力レベルを検出し、ベースバンド信号の出力レベルを一定に保つように制御する信号に基づいて、ユーザーバンド信号の強度に対応するパワー値８２２を出力する（ステップＳ２２０）。
【００６１】
衝突を検出するステップでは、制御信号衝突検出部８２５が、パワー値８２２の変化に基づき、アンテナ制御信号８２６aの衝突を検出する（ステップＳ２３０）。そして、アンテナ制御信号８２６aの衝突を検出した場合（ステップＳ２４０の「Ｙｅｓ」）、検出信号に基づいて、ＣＰＵ８２９は、所定時間後に制御コマンドの再送信を行うため、所定時間だけ処理を遅延させる（ステップ１０１）。
【００６２】
そして、所定時間後、電圧出力部３１７は、制御コマンドを出力するための電圧を出力する（ステップＳ１０２）。次に、ＣＰＵ８２９は、コマンド送信部３１８に対し、電圧出力部３１７からの出力電圧Ｙｖに制御コマンドを重畳させる。すなわち、コマンド送信部３１８は、ユーザーバンド変換部８２９に制御コマンドを送信する（ステップＳ１０４）。そして、数ミリ秒後に、ＣＰＵ８２９は、電圧出力部３１７に対し、その出力を出力電圧Ｙｖから出力電圧Ｘｖへと変化させる。すなわち、電圧出力部３１７は、制御コマンドを出力するための電圧の出力を停止する（ステップＳ１０６）。上記したように、ＣＰＵ８２９は、制御コマンドを出力するための電圧と制御コマンドの送信とを制御する。
【００６３】
一方、アンテナ制御信号８２６aの衝突を検出しない場合（ステップＳ２４０の「Ｎｏ」）、終了となる。
【００６４】
図７Ｂは、図７Ａにおける衝突を検出するステップ（ステップＳ２３０）を詳細に説明するためのフローチャートである。図７Ｂに示すように、アンテナ制御信号８２６aの衝突を検出するステップでは、制御信号衝突検出部８２５の保持部８３９は、パワー値８２２の保持を開始したタイミングから、時間カウンター８４５で所定期間としての最小値／最大値検出期間Ｔのカウントを開始する（ステップＳ２５５）。そして、所定期間が完了したかを判定する（ステップＳ２６０）。所定期間が完了していない場合（ステップＳ２６０の「Ｎｏ」）、ステップＳ２６０に戻る。
【００６５】
一方、所定期間が完了した場合（ステップＳ２６０の「Ｙｅｓ」）、ステップＳ２７０に進む。そして、最小値／最大値検出部８４２は、パワー値８２２を所定期間計測し、所定期間の計測を開始した際のパワー値（パワー保持値（ｘ）８４０）と所定期間におけるパワー値の最大値（パワー最大値（ｙ））との差、かつ、所定期間の計測を開始した際のパワー値（パワー保持値（ｘ）８４０）と所定期間におけるパワー値の最小値（パワー最小値（ｚ））との差が所定のパワー閾値以下である場合（ステップＳ２７０の「Ｙｅｓ」）、アンテナ制御信号８２６aが衝突を検出したと判定する（ステップＳ２８０）。一方、そうでない場合（ステップＳ２７０の「Ｎｏ」）、アンテナ制御信号８２６aは衝突なしと判定する（ステップＳ２９０）。
【００６６】
このようにして、本実施の形態における受信方法によれば、受信機８１９のアンテナ制御信号８２６ａが受信機８１３のアンテナ制御信号８２６ｂ、または受信機８１４のアンテナ制御信号８２６ｃと衝突し、ＣＰＵ８２９の指示により制御信号発生部８２８が再度アンテナ制御信号８２６ａを送信しても映像、音声が出力されるまでの時間を短くすることができる。
【産業上の利用可能性】
【００６７】
本発明は、受信したユーザーバンド信号を周波数変換したベースバンド信号の出力レベルを検出し、その出力レベルを一定に保つとともに、ユーザーバンド信号の強度に対応するパワー値を出力する。そして、パワー値の変化に基づきアンテナで受信する映像信号を選局するためのアンテナ制御信号の衝突を検出する。したがって、複数の受信機が同時に選局を行いアンテナ制御信号が衝突した場合にアンテナ制御信号の衝突検出を短時間で行うことができる。その結果、アンテナ制御信号が衝突した場合に要する選局時間を短くすることができるので、受信機およびそのアンテナ制御信号の衝突検出方法として有用である。
【符号の説明】
【００６８】
８００    衛星放送受信システム
８０１，８０２    衛星信号
８０３，８０４    アンテナ
８０５，８０６    ＬＮＢ（Ｌｏｗ  Ｎｏｉｓｅ  Ｂｌｏｃｋ  Ｃｏｎｖｅｒｔｅｒ）
８０７    衛星アンテナ装置
８０８，８１０    水平偏波信号
８０９，８１１    垂直偏波信号
８１２    ユーザーバンド変換部
８１３，８１４，８１９    受信機
８１５，８１５ｂ，８１５ｃ    チューナー
８１５ａ    チューナー部
８１６    ＡＤ変換部
８１７    自動利得制御部
８１８    復調部
８２０    誤り訂正部
８２１    自動利得制御電圧
８２２    パワー値
８２３    ＬＰＦ（Ｌｏｗ  Ｐａｓｓ  Ｆｉｌｅｔｅｒ）
８２４    ＰＷＭ（Ｐｕｌｓｅ  Ｗｉｄｔｈ  Ｍｏｄｕｌａｔｉｏｎ）信号
８２５    制御信号衝突検出部
８２６ａ，８２６ｂ，８２６ｃ    アンテナ制御信号
８２７    チューナー制御信号
８２８，８２８ｂ，８２８ｃ    制御信号発生部
８２９    ＣＰＵ（Ｃｅｎｔｒａｌ  Ｐｒｏｃｅｓｓｉｎｇ  Ｕｎｉｔ）
８３０    トリガー信号
８３１    アンテナ制御信号送信開始信号
８３２    リモコン受光部
８３３    ＴＳ多重分離部
８３４    ＭＰＥＧデコーダ
８３５    ＤＡ（Ｄｉｇｉｔａｌ  Ａｎａｌｏｇ）変換部
８３６    映像・音声信号
８３７    ユーザーバンド信号
８３８    ＴＳ（Ｔｒａｎｓｐｏｒｔ  Ｓｔｒｅａｍ）信号
８３９    保持部
８４０    パワー保持値
８４１    トリガー信号発生部
８４２    最小値／最大値検出部
８４３    検出信号
８４５    時間カウンター
【図１】
2011114607.tif 000003
【図２Ａ】
2011114607.tif 000004
【図２Ｂ】
2011114607.tif 000005
【図２Ｃ】
2011114607.tif 000006
【図３】
2011114607.tif 000007
【図４】
2011114607.tif 000008
【図５】
2011114607.tif 000009
【図６】
2011114607.tif 000010
【図７Ａ】
2011114607.tif 000011
【図７Ｂ】
2011114607.tif 000012
【図８】
2011114607.tif 000013
【国際調査報告】
2011114607.tif 000014
2011114607.tif 000015
2011114607.tif 000016
2011114607.tif 000017